(57)【要約】【課題】異なる設置方向に同一機器で対応できるエレベータの巻上機の提供。【解決手段】電動機６、綱車８、制動機１０を直列状に配置し、かつ、制動機１０が、電動機６に結合されるブレーキドラム１４、ブレーキドラム１４と当接する制動片１５ａ、１５ｂを有して回転支持される制動腕１６ａ、１６ｂ、制動片１５ａ、１５ｂをブレーキドラム１４に押圧する制動ばね１８ａ、１８ｂ、制動腕１６ａ、１６ｂを駆動する制動解除手段２０ａ、２０ｂを具備した巻上機５にあって、電動機６および制動腕１６ａ、１６ｂにより略Ｌ字状の投影面を形成するとともに、制動解除手段２０ａ、２０ｂを制動腕１６ａ、１６ｂの伸長方向に沿うようにして電動機６と並設し、かつ、制動機１０の高さ寸法を電動機６の高さ寸法未満とした構造とすることにより、電動機６および制動機１０を、電動機６の出力軸９を軸としていずれの方向にも１８０度回転させて使用可能とした。【選択図】図１
2008068966.tif 000002
【特許請求の範囲】
【請求項１】
電動機、綱車、および制動機を有し、前記電動機の出力軸の一方側に前記綱車、他方側に前記制動機を配置したエレベータの巻上機において、
前記制動機は、前記電動機の他方側の出力軸に結合されるブレーキドラムと、このブレーキドラムを挟み込むように対として配置され、一方側に前記ブレーキドラムと当接する制動片を有して回転支持される制動腕と、これらの制動腕の他方側にそれぞれ取付けられ前記制動片を前記ブレーキドラムに押圧する制動ばねと、それぞれの前記制動腕に連結され、前記制動ばねのばね力に反発して前記制動腕を駆動する制動解除手段とを具備し、
前記電動機および前記制動腕により略Ｌ字状の投影面を形成するとともに、前記制動解除手段を前記電動機と並設し、かつ、前記制動機の高さ寸法を前記電動機の高さ寸法未満とし、前記電動機の出力軸を軸として前記電動機および前記制動機を反転可能としたことを特徴とするエレベータの巻上機。
【請求項２】
前記制動腕、前記制動ばねおよび前記制動解除手段は、前記電動機に固定されたブラケットにより支持され、前記電動機、前記綱車および前記制動機を一体構造とすることを特徴とする請求項１記載のエレベータの巻上機。
【発明の詳細な説明】
【技術分野】
【０００１】
本発明は、昇降路上部の狭い場所に用いられて好適なエレベータの巻上機に関するものである。
【背景技術】
【０００２】
エレベータには乗かごおよびつり合いおもり等の昇降体を昇降させるため、昇降体に接続されたロープを巻上機の綱車に巻き掛け、駆動力を付与するようになっている。そして、エレベータの巻上機は、巻上機の設置場所の条件に応じて設置の向きを変える必要がある。とりわけ、近年、昇降路内に巻上機を設置する機械室レスエレベータが主流になってきているが、このような機械室レスエレベータは、昇降路内の機器設置スペースに制限があることから、巻上機の小型化が求められているとともに、その設置方法の自由度に限りがある。
【０００３】
そして、従来、減速機付きの巻上機に備えられた減速機箱を上下対象、或いは左右対称にすることにより、同一減速機を用いつつ、巻上機を昇降路正面から見て左置き、右置きの２種類の使い勝手としたものが提案されている（例えば、特許文献１、２参照）。
【特許文献１】特開昭６３−２０８４９１号公報
【特許文献２】特公平４−７８５５６号公報
【発明の開示】
【発明が解決しようとする課題】
【０００４】
前述した従来のエレベータの巻上機は、減速機付きの巻上機に係るものであるが、近年、希土類磁石を回転子に使用した同期電動機が主流となり、この同期電動機にあっては、低速高トルクが可能であることから減速機が不要である。そして、従来、この種の同期電動機にあっては、電動機を昇降路正面から見て左置き、右置きとすることについては特別な配慮がなされておらず、異なる形状の巻上機を備えることにより対応していた。
【０００５】
本発明は、前述した従来技術における実状からなされたもので、その目的は、異なる２つの設置方向に同一機器で対応することのできるエレベータの巻上機を提供することにある。
【課題を解決するための手段】
【０００６】
前記目的を達成するために、本発明の請求項１に係る発明は、電動機、綱車、および制動機を有し、前記電動機の出力軸の一方側に前記綱車、他方側に前記制動機を配置したエレベータの巻上機において、前記制動機は、前記電動機の他方側の出力軸に結合されるブレーキドラムと、このブレーキドラムを挟み込むように対として配置され、一方側に前記ブレーキドラムと当接する制動片を有して回転支持される制動腕と、これらの制動腕の他方側にそれぞれ取付けられ前記制動片を前記ブレーキドラムに押圧する制動ばねと、それぞれの前記制動腕に連結され、前記制動ばねのばね力に反発して前記制動腕を駆動する制動解除手段とを具備し、一対の前記制動腕をそれぞれ同一方向に伸長して前記電動機および前記制動腕により略Ｌ字状の投影面を形成するとともに、前記制動解除手段を前記制動腕の伸長方向に沿うようにして前記電動機と並設し、かつ、前記制動機の高さ寸法を前記電動機の高さ寸法未満とし、前記電動機の出力軸を軸として前記電動機および前記制動機を反転可能としたことを特徴としている。
【０００７】
このように構成した本発明の請求項１に係る発明は、電動機および制動腕により略Ｌ字状の投影面を形成するとともに、制動解除手段を制動腕の伸長方向に沿うようにして電動機と並設し、かつ、制動機の高さ寸法を電動機の高さ寸法未満とした構造とすることにより、電動機および制動機を、電動機の出力軸を軸としていずれの方向にも１８０度回転させて使用可能となる。これによって、巻上機を昇降路正面から見て左置きとするエレベータ、および右置きとするエレベータのいずれにも同一機器で対応することができる。
【０００８】
また、本発明の請求項２に係る発明は、前記制動腕、前記制動ばねおよび前記制動解除手段は、前記電動機に固定されたブラケットにより支持され、前記電動機、前記綱車および前記制動機を一体構造とすることを特徴としている。
【０００９】
このように構成した本発明の請求項２に係る発明は、ブラケットを介して電動機、綱車および制動機を一体構造とすることにより、巻上機の搬送および設置を容易なものとすることができる。
【発明の効果】
【００１０】
本発明によれば、異なる２つの設置方向に同一機器で対応することができることから、機器の標準化を図り、コストを低減することができる。
【００１１】
また、電動機、綱車および制動機を一体構造とすることにより、巻上機の搬送および設置を容易なものとすることができる。
【発明を実施するための最良の形態】
【００１２】
以下、本発明に係るエレベータの巻上機の実施の形態を図に基づいて説明する。
【００１３】
図１は本発明に係るエレベータの巻上機の一実施形態を示す平面図、図２は図１の巻上機の正面図、図３は異なる向きに設置した巻上機の平面図、図４は図３の巻上機の正面図、図５は巻上機が設置されるエレベータの概略構成図である。
【００１４】
一般に、機械室レスエレベータは図５に示すように、建屋に形成される昇降路１を昇降する昇降体、すなわち乗かご２およびつり合いおもり３と、両端が昇降路１上部に架け渡されるビーム１ａに係止され、かつ中間部に乗かご２およびつり合いおもり３が係合さるロープ４と、ビーム１ａに設置され、ロープ４が巻き掛けられる巻上機５とを備えている。
【００１５】
そして、本実施形態のエレベータの巻上機５は図１乃至図４に示すように、円筒状又は角柱の電動機６と、この電動機６の一方側で支持部材６ａに回転支持される出力軸７と、この出力軸７に結合される綱車８と、電動機６の他方側で支持部材６ｂに回転支持される出力軸９と、電動機６の出力軸９側に配設される制動機１０と、出力軸９に取付けられ、電動機６の回転制御するための回転検出器１１とを有しており、電動機６、綱車８、制動機１０および回転検出器１１は直列状に配置されている。
【００１６】
また、電動機６には、支持部材６ｂと一体的に形成される第１のブラケット１２と、支持部材６ｂに立設された立設部材６ｃに取付けられる第２のブラケット１３とが設けられている。
【００１７】
さらに、制動機１０は、電動機６の他方側の出力軸９に結合されるブレーキドラム１４と、このブレーキドラム１４を挟み込むように対として配置され、一方側にブレーキドラム１４と当接する制動片１５ａ、１５ｂを有して回転支持される制動腕１６ａ、１６ｂと、第２のブラケット１３に固定されるとともに、制動腕１６ａ、１６ｂの他方側にそれぞれロッド１７ａ、１７ｂを介して取付けられ、制動片１６ａ、１６ｂをブレーキドラム１４に押圧する制動ばね１８ａ、１８ｂと、第１のブラケット１２に固定されるとともに、制動腕１６ａ、１６ｂに係合部材１９ａ、１９ｂを介して連結され、制動ばね１８ａ、１８ｂのばね力に反発して制動腕１６ａ、１６ｂを駆動する制動解除手段２０ａ、２０ｂとを備えている。
【００１８】
また、制動機１０は、ブレーキドラム１４と、このブレーキドラム１４を押圧して制動を付加する制動腕１６ａ、１６ｂと、この押圧に抗し制動を解除する制動解除手段２０ａ、２０ｂとで構成され、制動腕１６ａ、１６ｂおよび制動解除手段２０ａ、２０ｂはそれぞれ二組設けられている。そして、これら二組の制動腕１６ａ、１６ｂおよび制動解除手段２０ａ、２０ｂは、それぞれの組がブレーキドラム１４の軸中心を通る直線、つまり、図２および図４では水平方向線に対して上下対称位置に配置される構造であることから、巻上機５が上下いずれの向きとなってもその動作に影響はない。
【００１９】
さらに、支持部材６ａ、６ｂの表裏には、ボルト穴２１が複数設けられ、これらのボルト穴２１を利用して、ベース１ｂに巻上機５がボルト２２により固定されるとともに、巻上機５を吊るための複数のアイボルト２３が取付けられる。
【００２０】
本実施形態の巻上機５の動作は次の通りである。制動時は制動ばね１８ａ、１８ｂで制動腕１６ａ、１６ｂを介して制動片１５ａ、１５ｂがブレーキドラム１４の制動面を押圧して制動状態になっている。すなわち、電動機６および綱車８は回転しないので巻上機５は停止している。一方、制動解除時は、制動解除手段２０ａ、２０ｂの図示しない電磁コイルに通電することにより制動ばね１８ａ、１８ｂのばね力に抗して制動腕１６ａ、１６ｂを駆動し、制動片１５ａ、１５ｂがブレーキドラム１４の制動面５ａから離間し制動を解除する。すなわち、電動機６が回転可能状態となるので電動機６に通電して巻上機５を駆動し、綱車８に巻き掛けたロープ４を駆動して乗かご２およびつり合いおもり３を昇降運転する。
【００２１】
そして、本実施形態の巻上機５は、図１および図３に示すように電動機６および制動腕１６ａ、１６ｂにより略Ｌ字状の投影面を形成するとともに、制動解除手段２０ａ、２０ｂを制動腕１６ａ、１６ｂの伸長方向に沿うようにして電動機６と並設し、かつ、図２および図４に示すように制動機１０の高さ寸法ｈ１を電動機６の高さ寸法ｈ２未満とした構造とすることにより、電動機６および制動機１０を、電動機６の出力軸９を軸としていずれの方向にも１８０度回転させて使用可能となっている。また、第１のブラケット１２は支持部材６ｂと一体的に形成されるとともに、第２のブラケット１３も立設部材６ｃを介して支持部材６ｂと一体的に設けられ、これによって、第１のブラケット１２および第２のブラケット１３に取付けられる制動機１０は、電動機６、およびこの電動機６の一方側に取付けられる綱車８と一体構造となる。
【００２２】
図１および図２の巻上機５は、巻上機５を昇降路１正面から見て、すなわち巻上機５を綱車８側から見て左方向に制動腕１６ａ、１６ｂが伸長する左置きとなっている。すなわち、制動腕１６ｂが下方、制動腕１６ａが上方に位置するようにして、ベース１ｂに巻上機５をボルト２２により固定する。このとき、制動機１０の高さ寸法ｈ１が電動機６の高さ寸法ｈ２未満であることから、ベース１ｂに巻上機５を固定する際に、制動機１０が邪魔をすることがない。一方、昇降路１の構造および他の機器との兼ね合いから、巻上機５を右置きとするには、図１および図２に示す状態から電動機６の出力軸９を軸として１８０度回転させ、図３および図４に示すように巻上機５を綱車８側から見て右方向に制動腕１６ａ、１６ｂが伸長した状態とする。すなわち、制動腕１６ａが下方、制動腕１６ｂが上方に位置するようにして、ベース１ｂに巻上機５をボルト２２により固定する。また、このとき、制動腕１６ｂ側の支持部材６ａ、６ｂにボルト穴２１を利用して巻上機５を吊るための複数のアイボルト２３が取付けられる。
【００２３】
本実施形態によれば、異なる２つの設置方向に同一機器で対応することができることから、機器の標準化を図り、コストを低減することができる。また、電動機６、綱車８および制動機１０を一体構造とすることにより、巻上機５の搬送および設置を容易なものとすることができる。
【図面の簡単な説明】
【００２４】
【図１】本発明に係るエレベータの巻上機の一実施形態を示す平面図である。
【図２】図１の巻上機の正面図である。
【図３】異なる向きに設置した巻上機の平面図である。
【図４】図３の巻上機の正面図である。
【図５】巻上機が設置されるエレベータの概略構成図である。
【符号の説明】
【００２５】
１    昇降路
１ａ  ビーム
１ｂ  ベース
２    乗かご
３    つり合いおもり
４    ロープ
５    巻上機
６    電動機
６ａ、６ｂ  支持部材
６ｃ  立設部材
７    出力軸
８    綱車
９    出力軸
１０  制動機
１１  回転検出器
１２  第１のブラケット
１３  第２のブラケット
１４  ブレーキドラム
１５ａ、１５ｂ  制動片
１６ａ、１６ｂ  制動腕
１７ａ、１７ｂ  ロッド
１８ａ、１８ｂ  制動ばね
１９ａ、１９ｂ  係合部材
２０ａ、２０ｂ  制動解除手段
２１    ボルト穴
２２    ボルト
２３    アイボルト
【図１】
2008068966.tif 000003
【図２】
2008068966.tif 000004
【図３】
2008068966.tif 000005
【図４】
2008068966.tif 000006
【図５】
2008068966.tif 000007